(57)【要約】【課題】  製造工程上、最終検査が終わってからカメラ本体へ組み込みが容易で、ユーザーが端子カバーを使用しても簡単に抜けることはないが、修理や廃棄等、意図的にカメラ本体から端子カバーを引き抜きたいときに容易に外すことができるカメラ用端子カバーを構成する。【解決手段】  少なくとも２本の引き出し部と引き出し部の先端部に引掛け爪が形成された係合部有する端子カバーと、端子カバーの引き出し部が挿入され進退可能な穴部と、端子カバーの係合部を係止する係止部を備えたカメラ本体の穴部の中央部に係合部が挿入可能な切り欠き穴部と一体的に形成し、端子カバーの係合部はカメラ本体の切り欠き部の幅よりも大きくなるように延出形成し、係合部の少なくとも一方に引き出し部と同方向に伸びる舌部を形成する。【選択図】  図８
2009139845.tif 000002
【特許請求の範囲】
【請求項１】
少なくとも２本の引き出し部と、先端部に引掛け爪が形成された係合部を有する端子カバーと、前記引き出し部が進退可能な穴部と、前記係合部を係止する係止部を備えたカメラ本体に備えるカメラの外部接続端子カバーであって、
前記カメラ本体の穴部の中央部に前記係合部が挿入可能な切り欠きを形成し、前記係合部は前記カメラ本体の切り欠きの幅よりも大きくなるように延出形成し、前記係合部の少なくとも一方に引き出し部と同方向に伸びる舌部を形成したことを特長とするカメラの外部接続端子カバー。
【請求項２】
前記少なくとも２本の引き出し部は互いに離間して形成し、係合部は隣り合う引出し部に向って延出して形成し、前記舌部は隣り合う係合部寄りに形成することを特長とする請求項１に記載のカメラの外部接続端子カバー。
【請求項３】
前記少なくとも２本の引き出し部は互いに近接位置に形成し、係合部は隣り合う引出し部とは反対方向に向って延出して形成し、、前記舌部は隣り合う係合部寄りに形成することを特長とする請求項１に記載のカメラの外部接続端子カバー。
【請求項４】
前記穴部および前記切り欠き部を設けたカメラ本体はカメラ外装部品であることを特長とする請求項２、又は請求項３に記載のカメラの外部接続端子カバー。
【発明の詳細な説明】
【技術分野】
【０００１】
本発明は、カメラに関し、特に、カメラの外部接続用端子を保護する端子カバーの構造に関する。
【背景技術】
【０００２】
カメラ、例えば、デジタルカメラには、様々なオプション類の他、コンピュータなど各種情報機器に接続するための外部接続用端子が設けられており、カメラの製造および検査工程において、この外部接続用端子を通してカメラの動作確認など検査が実施される。
【０００３】
このようなカメラの外部接続用端子を保護するため、通常、カメラ本体には、外部接続用端子を塞ぐように端子カバーが装着される。
【０００４】
図１１（a）は従来のカメラの端子カバーが装着される端子カバー部、図１１（b）は図１１（a）の断面図、図１１（c）は図１１（b）のＡ部拡大図である。
【０００５】
図１１（a）に示す端子カバー１０１、１０２は製造工程の最後に組みつけられるタイプのもので、カメラ本体１００の外装部品１０３の穴部１０３a、１０３ｂに端子カバー１０１、１０２の突起部１０１a、１０２aが挿入されて組み込まれる。
【０００６】
このとき、端子カバー１０１、１０２に設けた突起部１０１a、１０２aの先端部にはそれぞれ円錐台形状１０１ｂ（略１０２ｂ）が設けてあり、円錐台形状１０１ｂの径φaがカメラ本体の外装部品の穴部１０３a、１０３ｂの径φbよりも大きく形成されている。
【０００７】
図１２および図１３は、製造工程の途中でカメラ本体を構成する部品に挟み込むタイプのもので、図１２はカメラ本体内部の本体部品２００とサイドカバー２０１と端子カバー２０２のみを示した斜視図、図１３（a）は図１２のＡ点から見た図（側面図）、図１３（b）は図１３（a）の端子カバーの中央部近傍での断面図である。
【０００８】
カメラ内部、および外装部品が組みつくカメラ本体部品２００の切り欠き部２００ａに、サイドカバー２０１の穴２０１a（破線丸部）から突出した端子カバー２０２の係合部２０２aを引っ掛けて、サイドカバー２０１と挟み込むように端子カバー２０２を組み付ける構成となっている。
【０００９】
一般に、従来のカメラの製造工程は、端子カバーはカメラ本体の組立て時に当該本体に組み込まれ、その後、カメラ本体の各種特性検査が行われる。
【００１０】
又、別の従来例としては、下記特許文献１と特許文献２をあげることが出来る。
【特許文献１】特開2004-246180号公報
【特許文献２】特開2007-215111号公報
【発明の開示】
【発明が解決しようとする課題】
【００１１】
しかしながら、図１１に示すようなタイプの端子カバーの場合、製造工程の最後に組み付け可能なように、端子カバーの突起部先端に設けた引っ掛け形状である円錐台形状の径φaがカメラ本体の外装部品の穴φbよりも大きく形成されてはいるが、その差は小さいので、エンドユーザがカメラ本体から簡単に抜くことができ、端子カバーを紛失する恐れがあった。
【００１２】
一方、図１２から図１３に示すようなタイプの端子カバーの場合、カメラの製造工程中での組付け作業が困難で作業時間を要するという問題と共に、カメラの製造工程では、カメラ本体の各種特性検査は、当該端子カバーの組み込みを含むカメラ本体の組立て後に行われるため、製造工程中に組付るタイプの端子カバーでは、検査のたびに端子カバーをめくり、カメラの外部接続用端子に試験用の端子を挿入しなければならず、取り扱いが煩雑であった。また、修理や廃棄等、意図的に端子カバーをカメラ本体から外すにはカメラ本体を解体しないと容易に取り外すことができない。
【００１３】
そこで、本発明は、上記課題に鑑みてなされたものであり、製造工程上、最終検査が終わってからカメラ本体に組み込みが容易で、ユーザーが端子カバーを使用しても簡単に抜けることがなく、修理や廃棄等、意図的にカメラ本体から端子カバーを引き抜きたいときに容易に外すことができるカメラ用端子カバーを提供することを目的とする。
【課題を解決するための手段】
【００１４】
本出願に係る発明の目的を実現する第１の構成は、少なくとも２本の引き出し部と、先端部に引掛け爪が形成された係合部を有する端子カバーと、前記引き出し部が進退可能な穴部と、前記係合部を係止する係止部を備えたカメラ本体に備えるカメラの外部接続端子カバーであって、
前記カメラ本体の穴部の中央部に前記係合部が挿入可能な切り欠きを形成し、前記係合部は前記カメラ本体の切り欠きの幅よりも大きくなるように延出形成し、前記係合部の少なくとも一方に引き出し部と同方向に伸びる舌部を形成している。
【００１５】
本出願に係る発明の目的を実現する第２の構成は、前記少なくとも２本の引き出し部は互いに離間して形成し、係合部は隣り合う引出し部に向って延出して形成し、前記舌部は隣り合う係合部寄りに形成している。
【００１６】
本出願に係る発明の目的を実現する第３の構成は、前記少なくとも２本の引き出し部は互いに近接位置に形成し、係合部は隣り合う引出し部とは反対方向に向って延出して形成し、前記舌部は隣り合う係合部寄りに形成している。
【００１７】
本出願に係る発明の目的を実現する第４の構成は、穴部および切り欠き部をカメラ外装部品に設けられている。
【発明の効果】
【００１８】
上記提案によって、以下の効果を得ることが可能となる。
【００１９】
本発明の請求項１によれば、少なくとも２本の引き出し部と、前記先端部に引掛け爪が形成された係合部有する端子カバーと、前記引き出し部と進退可能な穴部と、前記係合部を係止する係止部を備えたカメラ本体に備えるカメラの外部接続端子カバーであって、
前記カメラ本体の穴部の中央部に前記係合部が挿入可能な切り欠きを形成し、前記係合部は前記カメラ本体の切り欠きの幅よりも大きくなるように延出形成し、前記係合部の少なくとも一方に引き出し部と同方向に伸びる舌部を形成していることで、製造工程上、最終検査が終わってからカメラ本体に組み込みが容易で、ユーザーが端子カバーを使用しても簡単に抜けることがなく、修理や廃棄等、意図的にカメラ本体から端子カバーを引き抜きたいときに容易に外すことができるカメラ用端子カバーを構成することができる。
【００２０】
本発明の請求項２によれば、少なくとも２本の引き出し部は互いに離間して形成し、係合部は隣り合う引出し部に向って延出して形成し、舌部を隣り合う係合部寄りに形成することで、ユーザーが端子カバーを使用時に端子カバーを斜め方向に引き抜こうとしても、延出形成した部位が互いに当接することで、係合部がサイドカバーの穴から抜け出ることはなく、また、サイドカバーの穴から舌部が突出するので修理や廃棄等、意図的にカメラ本体から端子カバーを取り外したいときに、舌部を引張り容易に係合部を引き抜くことができる。
【００２１】
本発明の請求項３によれば、少なくとも２本の引き出し部は互いに近接位置に形成し、係合部は隣り合う引出し部とは反対方向に向って延出して形成し、舌部を隣り合う係合部寄りに形成することで、ユーザーが端子カバーを使用時に端子カバーを斜め方向に引き抜こうとしても、延出形成した部位が係合部に引っかかることでサイドカバーの穴から抜け出ることはなく、また、サイドカバーの穴から舌部が突出するので修理や廃棄等、意図的にカメラ本体から端子カバーを取り外したいときに、舌部を引張り容易に係合部を引き抜くことができる。
【００２２】
本発明の請求項４によれば、穴部および切り欠き部を設けたカメラ本体はカメラの外装部品であることで、端子カバー破損時に組替えが容易である。
【発明を実施するための最良の形態】
【００２３】
次に、本発明の詳細を実施例の記述に従って説明する。
【実施例１】
【００２４】
以下、本発明の好適な実施の形態を添付図面に基づいて説明する。
【００２５】
先ず、図１〜図６を用いて、カメラの概要構成について説明する。
【００２６】
図１は、本発明の実施形態にかかるカメラを示す側面図、図２は端子カバーを取り外した状態の端子部の斜視図であり、図３（a）はサイドカバーの側面図、図３（b）はサイドカバーの正面図、図３（c）は図３(b)におけるサイドカバーの部分断面図であり、図４（a）は端子カバーの正面図、図４（b）は端子カバーの側面図、図４（c）は端子カバーの裏面図であり、図５（a）は端子カバーの一方の係合部がサイドカバーの切り欠き部に挿入される状態を示す拡大図、図５（b）は端子カバーの他方の係合部がサイドカバーの切り欠き部に挿入される状態を示す拡大図、図５（c）は端子カバーがサイドカバー組み付けられた状態を示す拡大図である。図６（a）は端子カバーがサイドカバー組み付けられた状態を示す拡大図、図６（b）は端子カバーの一方の係合部がサイドカバーの切り欠き部から取出される状態を示す拡大図、図６（c）は端子カバーの他方の係合部がサイドカバーの切り欠き部から取出される状態を示す拡大図である。
【００２７】
図１に示すように、カメラ本体１は、フロントカバー２およびリアカバー３、サイドカバー４等の外装部品を備え、サイドカバー４側には外部接続用端子６が設けてある。（図２）
そしてサイドカバー４には外部接続用端子６に対応する開口部４aと、端子カバー５の引き出し部５aが挿入される穴４ｃと側面（図３（a））から見て穴４ｃのほぼ中央部に端子カバー５の状態で係合部５bが挿入される切り欠き部４ｄが穴４cと一体的に形成され、その両側には端子カバー５が開位置で係止する係止部４ｂ、４ｂ'を備えている。（図３（a）から図３（ｂ））
図４（a）から図４（c）において端子カバー２は、外部接続用端子６を覆い、外部接続用端子６に嵌合可能な複数の凸部５cを裏面に有するカバー部５ｄとカバー部５ｄから伸びる２本の引き出し部５a、５a'とその先端部分に引っ掛け爪が形成された係合部５b、５b'を有している。
【００２８】
これら２つの係合部５b、５b'を、カメラ本体１のサイドカバー４の穴４ｃのほぼ中央部に設けた切り欠き４ｃに挿入して、端子カバー５の複数の凸部５cをカメラ本体１の外部接続用端子６にそれぞれ嵌め込みカメラ１に組み付ける。
【００２９】
ここで、係合部５bはサイドカバー４に設けた切り欠き部４ｄよりも広く（x２>x１）、また端子カバーの引き出し部５bよりも広く（x２>x３）なるように形成されており、係合部５b'には引き出し部５a'と平行に伸びる舌部5eが形成されている。
【００３０】
なお、端子カバー２は、エラストマー樹脂等のゴム成分を含む弾性的な素材により成形されている。
【００３１】
次に、図５（a）から図５（c）を用いてカメラ本体１に端子カバー５へ組み付け、取り外し操作について説明する。
【００３２】
端子カバー５の２本の引き出し部５a、５a'のうち一方の引き出し部５aを変形させ、サイドカバー４の穴４ｃのほぼ中央部に設けた切り欠き４ｃの幅ｘ１と同程度になるように係合部５bを変形させて、引っ掛かりがなくなるまで切り欠き部４ｄに押し込むんでいく。（図５（a））。同様に他方の引き出し部５a'を変形させて切り欠き部４ｄから、先に入れた係合部５bと係止部４b'の隙間を通すように押し込んでいくと（図５（b））、引き出し部５a'がもとの状態に戻る。（図５（c））
最後に端子カバー５の複数の凸部５cをカメラ本体１の外部接続用端子６にそれぞれ嵌め込んで、組み付けが完了する。
【００３３】
そして、端子カバー５をカメラ本体１から取り外すときには、組み付け状態（図６（a））サイドカバー４穴４cから突出する舌部5eを引き出し部５a'方向に引っぱり、切り欠き部４ｃから係合部5ｂ'を引き抜く（図６（b））。これにより他方の係合部５bの規制がなくなるので簡単に穴４cから取出すことができる（図６（c））。
【００３４】
次にユーザーが端子カバー５を開き操作した際の状態について説明する。
【００３５】
図７の（a）から図７（c）は、サイドカバーと端子カバーだけを図示したものであり、図７(a)は端子カバー閉じ位置、図７(b)は端子カバー開き位置、図７(c)は(b)の端子カバーの引き出し部での断面図、図８は開き位置でサイドカバーの一部を断面にした図であり、図９は端子カバーに斜め方向に力を加えた状態でのサイドカバーの一部を断面にした図である。
【００３６】
端子カバー５が閉じ位置にあるとき、カメラ本体１の外部接続用端子６に端子カバー５に設けた複数の凸部５cが嵌め込まれて閉じ位置を維持している。
【００３７】
この状態からユーザーが外部接続用端子６から端子カバー５に設けた複数の凸部５cを引き抜き、端子カバー５を横方向にスライド移動（図７（ｂ）中右矢印）させると図７(c)に示すように係合部５ｂ、５ｂ'がサイドカバー４の係止部４ｂ、４b'に当接して、端子カバー５のスライド移動を規制する。
【００３８】
そして、この状態から端子カバー５の係合部の根元を回転軸として端子カバー５をめくり上げ（図７（c））引き出し部５aを変形させると、カメラ本体１の外部接続用端子６が外部に露呈し、外部接続用端子６を利用することができる。
【００３９】
ここで、端子カバー５が開き位置にあるとき（図８）、端子カバーを無理に外そうと端子カバーに斜め方向に力を加えても（図９）、端子カバーの２つの係合部５ｂ'がスライドし（図中下矢印）係合部５ｂに当節してその移動を規制する。このように端子カバーの係合部５bの幅x２をサイドカバー４の穴４ｃの幅x１よりも広く形成することで、サイドカバー４の穴４ｃから係合部５ｂを簡単に抜け出ることを防止することができる。
【００４０】
以上の構成により、製造工程上、最終検査が終わってからカメラ本体１へ組み込みが容易で、通常使用操作で端子カバー５を使用しても簡単に抜けることがなく、修理や廃棄等、意図的にカメラ本体から端子カバーを引き抜きたいときに容易に外すことができるカメラ用端子カバーを構成することができる。
【実施例２】
【００４１】
以下、本発明の好適な形態を添付図面に基づいて説明する。
【００４２】
図１０は本発明の端子カバーを備えたサイドカバーに関する第二例を示す。端子カバー開き位置でサイドカバーの一部を断面にした図である。
【００４３】
サイドカバー２１には端子カバー２２の引き出し部２２a、２２a'および係合部２２b、２２b'挿入される穴２１ｃと穴２１ｃのほぼ中央部に設けた切り欠き２１dと切り欠き２１dの両側に係合部２２b、 ２２b'の係止部２１ｂとを備えている。
【００４４】
端子カバー２２は、不図示の外部接続用端子を覆い、外部接続用端子に嵌合可能な複数の凸部を裏面に有する（不図示）カバー部２２dとカバー部２２dから伸びる２本の引き出し部２２aとその先端部分に引っ掛け爪が形成された係合部２２bを有しており、係合部２２bには引き出し部２２a'と平行に伸びる舌部２２eが形成されている。
【００４５】
これら２つの係合部２２b、２２b'を、カメラ本体１のサイドカバー２１の穴２１ｃのほぼ中央部に設けた切り欠き２１ｃに挿入して、端子カバー２２の複数の凸部２２cをカメラ本体１の外部接続用端子６にそれぞれ嵌め込みカメラ１に組み付ける。
【００４６】
このとき、係合部２２bはサイドカバー２１に設けた切り欠き部２２cよりも広く（x２２>x２１）、かつ端子カバーの引き出し部２２bよりも広く（x２２>x２３）なるように形成されている。
【００４７】
端子カバー２２のサイドカバー２１への組み付け、取り外し操作、使用動作、斜め方向に操作した場合ついては実施例１とほぼ同様であるため、説明については割愛する。
【００４８】
以上の構成により、製造工程上、最終検査が終わってからカメラ本体へ組み込みが容易で、ユーザーが端子カバー２２を使用しても簡単に抜けることはないが、修理や廃棄等、意図的にカメラ本体から端子カバーを引き抜きたいときに容易に外すことができるカメラ用端子カバーを構成することができる。
【図面の簡単な説明】
【００４９】
【図１】本発明の実施形態にかかるカメラを示す側面図
【図２】端子カバーを取り外した状態の端子部の斜視図
【図３】(a)サイドカバーの側面図、(b)サイドカバーの正面図、(c)は(b)のサイドカバーの部分断面図
【図４】(a)端子カバーの正面図、(b)端子カバーの側面図、(c)端子カバーの裏面図
【図５】(a)端子カバーの一方の係合部がサイドカバーの切り欠き部に挿入される状態を示す拡大図、(b)は端子カバーの他方の係合部がサイドカバーの切り欠き部に挿入される状態を示す拡大図、(c)は端子カバーがサイドカバー組み付けられた状態を示す拡大図である
【図６】(a)は端子カバーがサイドカバー組み付けられた状態を示す拡大図である、(b)は端子カバーの一方の係合部がサイドカバーの切り欠き部から取出される状態を示す拡大図、(c)は端子カバーの他方の係合部がサイドカバーの切り欠き部から取出される状態を示す拡大図
【図７】(a)端子カバー閉じ位置、(b)端子カバー開き位置、(c)は(b)の端子カバーの引き出し部での断面図
【図８】開き位置でサイドカバーの一部を断面にした図
【図９】端子カバーに斜め方向に力を加えた状態でのサイドカバーの一部を断面にした図
【図１０】第２実施例における開き位置でサイドカバーの一部を断面にした図
【図１１】(a)従来のカメラの端子カバーが装着される端子カバー部、(b)は(b)の端子カバー部の断面図、（c）は（b）のＡ部拡大図
【図１２】カメラ本体内部の本体部品とサイドカバーと端子カバーのみを表示した斜視図
【図１３】(a)図１１のＡ点から見た図（側面図）、(b)端子カバーの中央部近傍での断面図
【符号の説明】
【００５０】
１  カメラ本体
２  フロントカバー
３  リアカバー
４  サイドカバー
４a  開口部
４b、４b'  係止部
４c  穴部
４d  切り欠き部
５  端子カバー
５a、５a'  引き出し部
５b、５b'  係合部
５c  凸部
５e  舌部
６  外部接続用端子
２１  サイドカバー
２１a  開口部
２１b、２１b'  係止部
２１d  切り欠き部
２２  端子カバー
２２a、２２a'  引き出し部
２２b、２２b'  係合部
２２e  舌部
【図１】
2009139845.tif 000003
【図２】
2009139845.tif 000004
【図３】
2009139845.tif 000005
【図４】
2009139845.tif 000006
【図５】
2009139845.tif 000007
【図６】
2009139845.tif 000008
【図７】
2009139845.tif 000009
【図８】
2009139845.tif 000010
【図９】
2009139845.tif 000011
【図１０】
2009139845.tif 000012
【図１１】
2009139845.tif 000013
【図１２】
2009139845.tif 000014
【図１３】
2009139845.tif 000015